(57)【要約】      （修正有）【課題】積み重ねた用紙を給紙ローラで供給するために給紙ローラに対して用紙を積載状態で配置するための給紙カセットを提供する。【解決手段】給紙カセット２は、用紙を積載収容する用紙収容部２０と、用紙幅方向ｂにおける用紙位置を決めるための用紙位置決め機構３とを含んでいる。用紙位置決め機構３は、互いに接近離隔可能の対をなす用紙側端位置決め部材３１、３２と、これらの連動機構４と、一方の部材３１とともに可動の、係止用歯部４００ａが形成された係止部材４００と、他方の部材３２とともに可動で、係止爪４０１ａを有し、係止爪４０１ａを係止用歯部４００ａに対して係合脱離させることができるロック部材４０１とを含んでいる。係止爪４０１ａを係止用歯部４００ａに係合させることで、位置決め部材３１、３２をそれらに用紙位置決めのための位置及び相互間隔を維持させたまま該位置に簡単に固定できる。【選択図】図２
2011241036.tif 000002
【特許請求の範囲】
【請求項１】
積み重ねた用紙を上部の用紙から給紙ローラで供給するために前記給紙ローラに対して用紙を積載状態で配置するための給紙カセットであって、用紙を積載収容する用紙収容部と、前記用紙収容部に収容される用紙の、前記給紙ローラによる給紙方向を横切る用紙幅方向における位置を決めるための用紙位置決め機構とを含んでおり、前記用紙位置決め機構は、前記用紙幅方向における用紙両側端位置を決めるための、互いに接近離隔可能に給紙カセット本体に設けられた、対をなす用紙側端位置決め部材と、前記対をなす用紙側端位置決め部材を互いに接近離隔可能に連動させる連動機構とを含んでいる給紙カセットであり、前記用紙位置決め機構は、さらに、
前記対をなす用紙側端位置決め部材のうち一方の部材とともに可動の、係止用歯部が形成された係止部材と、
前記対をなす用紙側端位置決め部材のうち他方の部材とともに可動で、係止爪を有し、前記係止爪を前記係止部材の係止用歯部に対して係合脱離させることができるロック部材とを含んでおり、
前記ロック部材は、前記用紙収容部に積載収容される用紙を前記対をなす用紙側端位置決め部材で挟んで位置決めした状態で前記係止爪を前記係止部材の係止用歯部に係合させて前記対をなす用紙側端位置決め部材位置を固定化することができることを特徴とする給紙カセット。
【請求項２】
前記係止部材は、前記対をなす用紙側端位置決め部材のうち前記一方の部材に支持されて前記他方の部材の方へ延在しており、前記係止用歯部を該延在方向に複数段に有しており、前記ロック部材は、前記係止爪を前記係止部材の係止用歯部に対して係合脱離させ得るように前記対をなす用紙側端位置決め部材のうち前記他方の部材に支持されている請求項１記載の給紙カセット。
【請求項３】
給紙カセットに積載収容された用紙群から給紙ローラにより用紙を供給して画像形成部を通る画像形成パスに通過させることで該用紙に画像形成することができる画像形成装置であり、前記給紙カセットとして請求項１又は２記載の給紙カセットが採用されていることを特徴とする画像形成装置。
【発明の詳細な説明】
【技術分野】
【０００１】
本発明は、積み重ねた用紙を上部の用紙から給紙ローラで供給するために前記給紙ローラに対して用紙を積載状態で配置するための給紙カセット、特に用紙を積載収容する用紙収容部と、前記用紙収容部に収容される用紙の、前記給紙ローラによる給紙方向を横切る用紙幅方向における位置を決めるための用紙位置決め機構とを含んでいる給紙カセットに関する。
【背景技術】
【０００２】
この種の給紙カセットやこの種の給紙カセットを利用した給紙機構は様々の分野で利用されている。例えば、給紙カセットに積載収容された用紙群から給紙ローラにより用紙を供給して画像形成部を通る画像形成パスに通過させることで該用紙に画像形成することができる、複写機、プリンタ、ファクシミリ機、これらのうち２以上を組み合わせた複合機等の画像形成装置において広く利用されている。
【０００３】
この種の給紙カセットにおいて前記用紙収容部に収容される用紙の位置決め機構が採用される理由は、用紙供給方向を横切る方向の用紙幅に対し通常短い幅に形成されている給紙ローラによる給紙にあたり、用紙の位置決めが不完全なために用紙がスキュー（斜行）して、その後の用紙搬送に支障がでたり、用紙に皺が発生したり、用紙と用紙搬送に係る部材との接触によるノイズが発生したり、用紙に対する処理が所望どおり行えなかったりする等の問題が発生することを抑制するためであり、給紙ローラによる給紙に際して用紙をできるだけ真っ直ぐ供給できるように位置決めするためである。
【０００４】
また、用紙位置決め機構としては、用紙の位置決めを給紙ローラに対して所定位置に簡単に位置決めできるように、前記用紙幅方向における用紙両側端位置を決めるための、互いに接近離隔可能に給紙カセット本体に設けられた、対をなす用紙側端位置決め部材と、これら対をなす用紙側端位置決め部材を互いに接近離隔可能に連動させる連動機構とを含むものが採用されていることがある。
【０００５】
そのような連動機構としては、ラックピニオン機構を利用したものが知られている。
例えば、特開平７−１７６４０号公報には一対の用紙サイド規制部材をラックピニオン機構を利用した連動機構で互いに接近離隔させて用紙側端位置を決める用紙位置決め機構が記載されている。また、同公報には、そのように用紙を幅方向において一対の用紙サイド規制部材で挟んだ状態で連動機構ごと通紙基準位置に合わせて用紙を移動させる機構も記載されている。
【先行技術文献】
【特許文献】
【０００６】
【特許文献１】特開平７−１７６４０号公報
【発明の概要】
【発明が解決しようとする課題】
【０００７】
しかしながら、対をなす用紙側端位置決め部材を連動機構を利用して接近離隔調整することで用紙を幅方向両側から挟んで用紙位置決めを行う位置決め機構によると、対をなす用紙側端位置決め部材の位置を簡単に位置調整できるが、実際には、複雑な連動機構における部材間のガタツキ（例えばラックピニオン機構利用のものではギアのかみ合いにおけるバックラッシュ等によるガタツキ）により、対をなす用紙側端位置決め部材のうち少なくとも一方が位置ずれしてくるなどして、位置決め部材による用紙位置規制が不十分となってきて用紙位置がずれてくることがある。
【０００８】
そこで本発明は、積み重ねた用紙を上部の用紙から給紙ローラで供給するために前記給紙ローラに対して用紙を積載状態で配置するための給紙カセットにして、用紙を積載収容する用紙収容部と、前記用紙収容部に収容される用紙の、前記給紙ローラによる給紙方向を横切る用紙幅方向における位置を決めるための用紙位置決め機構とを含んでおり、前記用紙位置決め機構は、前記用紙幅方向における用紙両側端位置を決めるための、互いに接近離隔可能に給紙カセット本体に設けられた、対をなす用紙側端位置決め部材と、前記対をなす用紙側端位置決め部材を互いに接近離隔可能に連動させる連動機構とを含んでいる給紙カセットであって、前記対をなす用紙側端位置決め部材をそれらに用紙位置決めのための位置及び相互間隔を維持させたまま該位置を簡単に固定化することができ、それだけ前記給紙ローラによる給紙を用紙側端位置決め部材にて規制された所望の用紙姿勢で円滑に行うことができる給紙カセットを提供することを第１の課題とする。
【０００９】
また本発明は、給紙カセットに積載収容された用紙群から給紙ローラにより用紙を供給して画像形成部を通る画像形成パスに通過させることで該用紙に画像形成することができる画像形成装置であって、前記給紙カセットからの給紙ローラによる給紙を所望の用紙姿勢で円滑に行うことができ、それだけ円滑、良好に用紙に画像形成できる画像形成装置を提供することを第２の課題とする。
【課題を解決するための手段】
【００１０】
本発明は前記第１の課題を解決するため、
積み重ねた用紙を上部の用紙から給紙ローラで供給するために前記給紙ローラに対して用紙を積載状態で配置するための給紙カセットであって、用紙を積載収容する用紙収容部と、前記用紙収容部に収容される用紙の、前記給紙ローラによる給紙方向を横切る用紙幅方向における位置を決めるための用紙位置決め機構とを含んでおり、前記用紙位置決め機構は、前記用紙幅方向における用紙両側端位置を決めるための、互いに接近離隔可能に給紙カセット本体に設けられた、対をなす用紙側端位置決め部材と、前記対をなす用紙側端位置決め部材を互いに接近離隔可能に連動させる連動機構とを含んでいる給紙カセットであり、前記用紙位置決め機構は、さらに、
前記対をなす用紙側端位置決め部材のうち一方の部材とともに可動の、係止用歯部が形成された係止部材と、
前記対をなす用紙側端位置決め部材のうち他方の部材とともに可動で、係止爪を有し、前記係止爪を前記係止部材の係止用歯部に対して係合脱離させることができるロック部材とを含んでおり、
前記ロック部材は、前記用紙収容部に積載収容される用紙を前記対をなす用紙側端位置決め部材で挟んで位置決めした状態で前記係止爪を前記係止部材の係止用歯部に係合させて前記対をなす用紙側端位置決め部材位置を固定化することができる給紙カセットを提供する。
【００１１】
また本発明は前記第２の課題を解決するため、
給紙カセットに積載収容された用紙群から給紙ローラにより用紙を供給して画像形成部を通る画像形成パスに通過させることで該用紙に画像形成することができる画像形成装置であり、前記給紙カセットとして本発明に係る給紙カセットが採用されている画像形成装置を提供する。
【００１２】
本発明に係る給紙カセットによると、用紙位置決め機構の対をなす用紙側端位置決め部材を、必要に応じて、予め連動機構を利用して、且つ、前記ロック部材の係止爪を前記係止部材の係止用歯部から脱離させて相互に離隔させておき、用紙収容部のそれら対をなす用紙側端位置決め部材の間の部分に複数枚の用紙を積載収容することができる。
【００１３】
次いで、そのように積載収容した用紙を、前記対をなす用紙側端位置決め部材を連動機構を利用して相互に接近させて用紙幅方向両側から挟むようにして簡単に位置決めできる。さらに、前記ロック部材の係止爪を前記係止部材の係止用歯部に係合させて、前記対をなす用紙側端位置決め部材を、それらで用紙を挟んで位置決めした状態に簡単に固定化することができる。
【００１４】
かくして、用紙を位置ずれが十分抑制される状態でカセットに位置決めして、給紙ローラによる給紙を、用紙側端位置決め部材にて規制された所望の用紙姿勢で円滑に行うことができる。また、給紙カセットとして本発明に係る給紙カセットを採用した画像形成装置では、それだけ円滑、良好に用紙に画像形成できる。
【００１５】
本発明に係る給紙カセットにおける前記係止部材やロック部材は、前記のように対をなす用紙側端位置決め部材をそれらが用紙を用紙幅方向両側から挟むようにして位置決めしている状態でそれら用紙側端位置決め部材をその位置に固定化することができるものであればよいが、例えば、前記係止部材として、前記対をなす用紙側端位置決め部材のうち前記一方の部材に支持されて前記他方の部材の方へ延在しており、前記係止用歯部を該延在方向に複数段に有しているものを挙げることができる。
【００１６】
また前記ロック部材として、前記係止爪を前記係止部材の係止用歯部に対して係合脱離させ得るように前記対をなす用紙側端位置決め部材のうち前記他方の部材に支持されているものを例示できる。
【００１７】
なお、本発明に係る給紙カセットは、画像形成装置の分野だけでなく、積み重ねた用紙を上部の用紙から給紙ローラで供給するために前記給紙ローラに対して用紙を積載状態で配置するための給紙カセットが要求される各種分野で利用できる。
【発明の効果】
【００１８】
以上説明したように本発明によると、積み重ねた用紙を上部の用紙から給紙ローラで供給するために前記給紙ローラに対して用紙を積載状態で配置するための給紙カセットにして、用紙を積載収容する用紙収容部と、前記用紙収容部に収容される用紙の、前記給紙ローラによる給紙方向を横切る用紙幅方向における位置を決めるための用紙位置決め機構とを含んでおり、前記用紙位置決め機構は、前記用紙幅方向における用紙両側端位置を決めるための、互いに接近離隔可能に給紙カセット本体に設けられた、対をなす用紙側端位置決め部材と、前記対をなす用紙側端位置決め部材を互いに接近離隔可能に連動させる連動機構とを含んでいる給紙カセットであって、前記対をなす用紙側端位置決め部材をそれらに用紙位置決めのための位置及び相互間隔を維持させたまま該位置を簡単に固定化することができ、それだけ前記給紙ローラによる給紙を用紙側端位置決め部材にて規制された所望の用紙姿勢で円滑に行うことができる給紙カセットを提供することができる。
【００１９】
また本発明によると、給紙カセットに積載収容された用紙群から給紙ローラにより用紙を供給して画像形成部を通る画像形成パスに通過させることで該用紙に画像形成することができる画像形成装置であって、前記給紙カセットからの給紙ローラによる給紙を所望の用紙姿勢で円滑に行うことができ、それだけ円滑、良好に用紙に画像形成できる画像形成装置を提供することができる。
【図面の簡単な説明】
【００２０】
【図１】本発明に係る画像形成装置の１例の構成の概略を示す図である。
【図２】本発明に係る給紙カセットの１例の平面図である。
【図３】図２に示す給紙カセットのＸ−Ｘ線沿う断面図である。
【図４】用紙位置決め機構の要部を示す図である。
【発明を実施するための形態】
【００２１】
図１に本発明に係る画像形成装置の１例であるタンデム型カラープンタを示す。
なお、本発明に係る画像形成装置はタンデム型カラープリンタに限定されるものではない。本発明は所謂サイクル型（例えば４サイクル型）カラー画像形成装置、モノクロ画像形成装置にも適用でき、プリンタのほか、複写機、ファクシミリ機、これらのうち２以上を組み合わせた複合機等にも適用できる。また、本発明は電子写真方式、静電記録方式、インクプリント方式等の各種画像形成方式の画像形成装置に適用できる。
【００２２】
図１に示すプリンタ１０は、画像形成部１１、画像形成部下方の用紙供給部１２、画像形成パス１３を有している。画像形成部１１は図示省略のベルト駆動部により回転駆動される駆動ローラｄ１と対向ローラｄ２に巻き掛けられて図中反時計方向αに回転駆動可能の中間転写ベルト１１１を含んでおり、該ベルトに沿ってベルト走行方向にイエロー画像形成ユニットＹ、マゼンタ画像形成ユニットＭ、シアン画像形成ユニットＣ及びブラック画像形成ユニットＫがこの順序で配置されている。
【００２３】
各色担当の画像形成ユニットは、図示省略の画像読み取り装置からの画像情報や、図示省略の外部コンピュータや外部ファクシミリ機等から送信されてくる画像情報に基づいて、電子写真方式により感光体ＰＣ上に担当色画像に対応する静電潜像を形成し、該潜像を担当色トナーで現像してトナー像を形成し、これを図示省略の電源から１次転写バイアスが印加される１次転写ローラｔｒでベルト１１１上に１次転写することができる。
【００２４】
画像形成ユニットを用いて画像形成するにあたっては、四つの画像形成ユニットのうちいずれか一つを用いてモノクロトナー像を形成することもできるし、二つ以上の画像形成ユニットを用いてカラー画像を形成することもできる。二つ以上の画像形成ユニットを用いる場合には、それら画像形成ユニットで形成される各色トナー像はベルト１１１上で重ねられるタイミングでベルト１１１に１次転写される。
【００２５】
画像形成部１１はさらに、中間転写ベルト１１１の回転方向においてブラック画像形成ユニットＫの下流側で該ベルトに臨む２次転写ローラ１１２及びその上方に配置された定着装置１１３も含んでいる。
【００２６】
前記のようにベルト１１１上に１次転写されるトナー像は、図示省略の電源から２次転写バイアスが印加される２次転写ローラ１１２により、画像形成パス１３に沿って搬送されてくる用紙Ｓに２次転写される。
【００２７】
画像形成すべき用紙は次に説明する用紙供給部１２から供給される。用紙供給部１２から供給されてくる用紙は画像形成パス１３の入口に位置するレジストローラ１３１に突き当てられて一旦停止され、画像形成部１１において用紙の所定位置に画像形成が可能になるタイミングでレジストローラ１３１により画像形成パス１３へ送り込まれる。
【００２８】
このようにして用紙に２次転写されたトナー像は、定着装置１１３により加熱加圧下に定着され、用紙とともに排出トレイＴへ排出される。
【００２９】
用紙供給部１２についてさらに説明する。
用紙供給部１２は給紙カセット２を着脱できる部分である。プリンタ１０の使用にあたっては用紙を積載収容した給紙カセット２がこの用紙供給部１２に取り出し可能に装着される。
【００３０】
図２は給紙カセット２の平面図であり、図３は給紙カセット２のＸ−Ｘ線沿う断面図であり、図４は給紙カセット２における用紙幅方向におけるカセット内用紙位置を決める用紙位置決め機構３の要部を示す図である。図３では、本来見えない、手前側の位置決め部材３２を搭載したスライダ３２２も理解を容易にするため断面で示してある。
【００３１】
給紙カセット２は、上方へ開口した給紙カセット本体２１、給紙カセット本体２１内に配置された前部底板２２及び後部底板２３を含んでいる。前部底板２２は後端部２２’を中心に回動して前端部が昇降でき，前端部は下方からバネ２２０で持ち上げ力を付与されている。これら前部底板２２及び後部底板２３の上方域が用紙収容部２０となっている。  給紙カセット２は、さらに、給紙ローラ２４及び給紙ローラ２４に下側から臨む用紙捌きパッド２５を備えている。
【００３２】
この実施形態では、給紙ローラ２４は図示省略のローラ支持部材を介して給紙カセット本体２１に回転可能に支持されており、捌きパッド２５も図示省略のパッド支持部材を介して給紙カセット本体２１の定位置に支持されている。
【００３３】
給紙ローラ２４及び捌きパッド２５は、給紙ローラ２４による用紙供給方向を横切る用紙幅方向（カセット幅方向）ｂにおけるカッセト中央部に位置している。この給紙カセット２は、用紙の幅方向における中央位置を通紙基準とする中央通紙基準の給紙カセットである。
【００３４】
この給紙カセット２によると、給紙カセット２をプリンタ本体から外して給紙カセット内の前部底板２２をバネ２２０に抗して押し下げて、その状態で前部底板２２及び後部底板２３上の用紙収容部２０に画像形成しようとするサイズの用紙Ｓを積載収容し、さらに、後ほど詳述する用紙位置決め機構３によりそれら用紙Ｓの用紙幅方向（カセット幅方向）ｂにおけるカッセト内位置を決め、後部底板２３に設けた給紙方向ａに可動の用紙後端位置決め部材２３１にて用紙Ｓの後端位置を決め、このように給紙カセット２内に用紙Ｓを積載収容して位置決めすることができる。位置決め部材２３１は後部底板２３に設けたレール装置２３２に沿って位置調整できる。
【００３５】
このように用紙Ｓが積載収容され、位置決めされた給紙カセット２はプリンタ１０の本体に図１において手前側から奥側へ挿入装着される。そして、前部底板２２はバネ２２０により持ち上げられ、それにより用紙Ｓの先端（前端）部分が給紙ローラ２４に下方から当接する。
【００３６】
給紙カセット２には、給紙カセット内の前部底板２２をバネ２２０に抗して押し下げたとき、その押し下げ状態を保持する、それ自体すでに知られているタイプのストッパが設けられていてもよい。
【００３７】
給紙カセット２にこのようなストッパが設けられているときには、給紙カセット２のプリンタ本体への装着により、該ストッパがプリンタ本体側に設けられたそれ自体知られているタイプの図示省略のストッパ解除部に接触して外れ、それにより前部底板２２がバネ２２０により持ち上げられ、用紙Ｓの先端（前端）部分が給紙ローラ２４に下方から当接するようにしてもよい。
【００３８】
給紙カセット２がプリンタ本体に装着されると、この実施形態では、給紙ローラ２４のシャフト２４１がプリンタ本体に設けられた図示省略の伝動機構と係合し、その伝動機構を介して図示省略のモータにて図３中反時計方向（給紙方向）に回転駆動可能となる。
【００３９】
かくして給紙カセット２内の用紙Ｓは、画像形成のための所定のタイミングで、給紙ローラ２４の回転により上部のものから引き出され、且つ、給紙ローラ２４と捌きパッド２５とにより捌かれて１枚ずつレジストローラ１３１へ向け供給される。
【００４０】
この実施形態では、給紙カセット２に給紙ローラ２４及び捌きパッド２５が搭載されているが、それらのうちいずれか一方或いは双方ともプリンタ本体に設けられていてもよい。また、捌きパッド２５に代えて捌きローラを採用することも可能である。
【００４１】
次に用紙幅方向における用紙位置決め機構３について説明する。
用紙位置決め機構３は、用紙幅方向ｂにおける用紙Ｓ両側端位置を決めるための、互いに接近離隔可能に給紙カセット本体２１に設けられた、対をなす用紙側端位置決め部材３１、３２と、これら位置決め部材３１、３２を互いに接近離隔可能に連動させる連動機構４とを含んでいる。
【００４２】
位置決め部材３１は、台部材３１１に立設され、前部底板２２に形成された開口２２１を貫通して前部底板２２の上方まで達している。台部材３１１はスライダ３１２に搭載固定されている。スライダ３１２は、カセット本体２１の給紙方向ａにおける前端部の底部に設けられたレール部材３１３にｂ方向に摺動可能に嵌合されている。
【００４３】
位置決め部材３２は、台部材３２１に立設され、前部底板２２に形成されたもう一つの開口２２２を貫通して前部底板２２の上方まで達している。台部材３２１はスライダ３２２に搭載固定されている。スライダ３２２は、カセット本体２１の給紙方向ａにおける前端部の底部に設けられたもう一つのレール部材３２３にｂ方向に摺動可能に嵌合されている。
【００４４】
連動機構４は、前部底板２２の下方において給紙カセット本体２１に回転可能に支持されたピニオンギア４０と、これらにかみ合う一対のラック（ラックギア）４１、４２とを含んでいる。
【００４５】
一方の位置決め部材３１を支持している台部材３１１にはラック支持ロッド４１０が片持ち支持されてｂ方向に延びており、このロッド４１０に一方のラック４１が取り付けられて前記ピニオンギア４０にかみ合っている。
【００４６】
他方の位置決め部材３２を支持している台部材３２１にはラック支持ロッド４２０が片持ち支持されてｂ方向に延びており、このロッド４２０に他方のラック４２が取り付けられて前記ピニオンギア４０にかみ合っている。
【００４７】
この連動機構４によると、位置決め部材３１、３２のうち少なくとも一方をｂ方向に動かすことで、ラックピニオン機構４０、４１、４２によりそれら位置決め部材３１、３２が互いに接近離隔動作することができる。
【００４８】
従って、用紙Ｓを前部底板２２及び後部底板２３上に積載収容するにあたっては、用紙側端位置決め部材３１、３２を連動機構４を利用して用紙幅より広く離隔させておき、その状態でそれら位置決め部材３１、３２の間で用紙Ｓを底板２２、２３上に積載収容し、次いで、位置決め部材３１、３２を連動機構４を利用して互いに接近させて用紙Ｓの側端に当接させるようにして用紙Ｓの用紙幅方向（カセット幅方向）ｂにおける位置を決めることができ、用紙Ｓの幅方向における中央位置を給紙ローラ２４に合わせ位置決めすることができる。また、位置決め部材２３１の位置を調整して用紙Ｓの後端位置を決めればよい。このように連動機構４及び位置決め部材２３１を用いて簡単に用紙Ｓを位置決めできる。
【００４９】
この給紙カセット２においてさらに注目すべきは、連動機構４においてギアのバックラッシュ等によるガタツキがたとえあったとしても、上記のように用紙Ｓを位置決めした状態の用紙側端位置決め部材３１、３２をその位置に安定的に固定することができる点である。
【００５０】
このために、用紙位置決め機構４は、さらに、一方の用紙側端位置決め部材３１とともにｂ方向に可動の係止部材４００及び図４に示すように他方の用紙側端位置決め部材３２とともに可動のロック部材４０１を含んでいる。
【００５１】
係止部材４００は位置決め部材３１の台部材３１１に片持ち支持されてｂ方向に延びている前記ラック支持ロッド４１０がこれを兼ねている。すなわち、前記ラック支持ロッド４１０は長く延びて係止部材４００を兼ねている。このラック支持ロッド４１０（係止部材４００）の位置決め部材３２の下方まで延びた部分の上面に、その長手方向に沿って複数段に係止用歯部４００ａが形成されている。
【００５２】
ロック部材４０１は図４に示すように、他方の位置決め部材３２の背面側（用紙側端位置決め面３２Ｓとは反対側）にロック部材下端部で軸４０１’により揺動可能に支持されており、板バネ４０１Ｓによりロック部材頭部に常時位置決め部材３２から遠ざかる方向の力が付与されている。ロック部材４０１には揺動軸４０１’より下側で、それとは限定されないが本例では複数段に係止爪４０１ａが設けられている。
係止爪４０１ａは、板バネ４０１Ｓによりロック部材４０１が付勢されることで、係合部材４００の係止用歯部４００ａに係合することができる。
【００５３】
従って、ロック部材４０１を板バネ４０１Ｓに抗して位置決め部材３２側へ揺動させることで係止爪４０１ａを係止部材４００の係止用歯部４００ａから脱離させた状態で、位置決め部材３１、３２を動かしてそれらで用紙Ｓを両側から挟むようにして位置決めし、さらにロック部材４０１の係止爪４０１ａを係止部材４００の係止用歯部４００ａに係合させることで、連動機構４においてガタツキがたとえあったとしても、用紙Ｓを位置決めした状態の用紙側端位置決め部材３１、３２をその位置及び相互間隔に安定的に簡単に固定することができる。
【００５４】
かくして、用紙Ｓを位置ずれが十分抑制される状態でカセット２に位置決めして、給紙ローラ２によるレジストローラ１３１への給紙を、用紙側端位置決め部材３１、３２にて規制された所望の用紙姿勢で円滑に行うことができ、それだけ円滑、良好に用紙に画像形成できる。
【産業上の利用可能性】
【００５５】
本発明は、対をなす用紙側端位置決め部材を用紙位置決めのために簡単に接近離隔調整することができ、それら部材に用紙位置決めのための位置及び相互間隔を維持させたまま該位置を簡単に固定できる、画像形成装置等に利用可能の給紙カセットを提供することに利用できる。
【符号の説明】
【００５６】
１０  プリンタ
１１  画像形成部
１２  用紙供給部
１３  画像形成パス
１３１  レジストローラ
１１２  ２次転写ローラ
１１３  定着装置
Ｔ  排出トレイ
Ｓ  用紙
２  給紙カセット
２１  給紙カセット本体
２０  用紙収容部
２２  前部底板
２２１、２２２  前部底板の開口
２２０  バネ
２３  後部底板
２３１  用紙後端位置決め部材
２３２  レール装置
２４  給紙ローラ
２４１  給紙ローラシャフト
２５  捌きパッド
ａ  給紙ローラによる給紙方向
ｂ  用紙幅方向（給紙カセット幅方向）
３  用紙位置決め機構
３１、３２  用紙側端位置決め部材
３１１、３２１  台部材
３１２、３２２  スライダ
３１３、３２３  レール部材
４  連動機構
４０  ピニオンギア
４１、４２  ラック
４１０  ラック支持ロッド
４２０  係止部材４００を兼ねるラック支持ロッド
４００  係止部材
４００ａ  係止用歯部
４０１  ロック部材
４０１ａ  係止爪
４０１’  ロック部材４０１の揺動軸
４０１Ｓ  板バネ
【図１】
2011241036.tif 000003
【図２】
2011241036.tif 000004
【図３】
2011241036.tif 000005
【図４】
2011241036.tif 000006